(57)【要約】【課題】画像処理装置及び画像形成装置において、画像に対する実行処理を伴わない操作の場合や、実行処理の種類が不明の操作の間は、表示操作に必要な部分への電力供給にとどめ、画像データ処理部への電力供給を行わないで、無駄な電力消費を防止する。【解決手段】画像処理装置は、処理対象の画像データを扱う複数の画像データ処理部１、２、４、操作指示及び装置本体の状態出力を行う操作／表示部３、各部に電力を供給するメイン電源８、各部の制御を行うメイン制御部６、各部の信号検出部１ａ、２ａ、４ａ及び信号検出部３ａから出力されるトリガ信号に基づきメイン電源８の電源制御を行う電源制御部７からなる。電源制御部７は、検出されたトリガ信号が操作／表示部３からの特定のトリガ信号のみの場合、操作／表示部３及びメイン制御部６のみに電力供給を行うようにメイン電源８を制御する。【選択図】図１
2006135878.tif 000002
【特許請求の範囲】
【請求項１】
処理対象の画像データを取り扱う複数の画像データ処理部と、装置本体への操作指示及び前記装置本体の状態の出力を行う操作／表示部と、前記画像データ処理部及び操作／表示部に電力を供給する電源部と、前記画像データ処理部及び操作／表示部の制御を行う制御部と、前記電源部の制御を行う電源制御部とからなる省エネルギー機能を備えた画像処理装置において、前記処理部及び前記操作／表示部は、各々に対する電力供給を復帰させる復帰要因を検出しトリガ信号を出力する検出部を有し、前記電源制御部は、前記検出部から出力されるトリガ信号を検出し、検出されたトリガ信号が前記操作／表示部の検出部が出力する特定のトリガ信号のみの場合、前記操作／表示部及び前記制御部のみに電力供給を行うように前記電源部を制御することを特徴とする省エネルギー機能を備えた画像処理装置。
【請求項２】
前記操作／表示部の検出部は操作に応じた複数のトリガ信号を出力し、前記電源制御部は検出されたトリガ信号が前記操作／表示部の検出部が出力した複数のトリガ信号のいずれであるかに応じて前記電源部の電力供給を制御することを特徴とする請求項１記載の省エネルギー機能を備えた画像処理装置。
【請求項３】
前記操作／表示部の検出部から出力されるトリガ信号は、前記操作／表示部に設置されたモード選択キーの押下に応じて切り替えられることを特徴とする請求項２記載の省エネルギー機能を備えた画像処理装置。
【請求項４】
前記操作／表示部及び前記制御部のみに電力供給が行われている状態においては、前記操作／表示部によって選択されたモードに依存する表示及びランプ点灯をさせないことを特徴とする請求項１記載の省エネルギー機能を備えた画像処理装置。
【請求項５】
少なくとも前記操作／表示部及び前記制御部に電力供給が行われている状態においては、前記操作／表示部の検出部から出力されるトリガ信号に応じて、前記電源制御部が前記電源部の電源供給を制御することを特徴とする請求項２記載の省エネルギー機能を備えた画像処理装置。
【請求項６】
請求項１乃至５いずれか記載の省エネルギー機能を備えた画像処理装置の前記画像データ処理部が、画像形成部を備えていることを特徴とする画像形成装置。
【発明の詳細な説明】
【技術分野】
【０００１】
本発明は、省エネルギー機能を備えた画像処理装置及び画像形成装置に関し、さらに詳しくは、操作／表示部及び制御部のみで対処可能な操作に対しては、操作／表示部及び制御部のみに電力供給を行い、他の画像データ処理部に電力供給を行わないことにより、電力消費を軽減する画像処理装置および画像形成装置に関する。
【背景技術】
【０００２】
特許文献１に開示された「電気装置及び通信端末装置」では、省エネルギーモードから通常の動作モードへの復帰方法として、ファクシミリ装置を例にすると、「Ｇ４受信」、「コピー」、「Ｇ３受信」といった復帰要因に対して、復帰要因を実行するために必要な部分へ電源供給を行う方法を提案している。
また、特許文献２に開示された「画像形成装置および画像形成装置の電力制御方法」では、省エネルギーモードから通常の動作モードへの復帰方法として、「パーソナルコンピュータからのプリント要求信号」、「ファクシミリ網呼出信号の回線からの信号」、「操作／表示部から利用者により入力押下されたスタートキー」といった復帰要因に対して、復帰要因を実行するために必要な機能を判別し、機能に必要な部分全てに電源供給を行う方法を提案している。
【特許文献１】特開２００１−６１０２７号公報
【特許文献２】特開２００２−２９０６４０号公報
【発明の開示】
【発明が解決しようとする課題】
【０００３】
特許文献１，２に開示されたものは、ともに省エネルギーモードから通常の動作モードへの復帰方法として、実行処理を伴った復帰要求指示に対して、必要な部分への電源供給を行う方法を提案している。しかし、この省エネルギーモードからの復帰方法では、「ジョブ状況の確認」、「本体設定の変更」といった実行処理を伴わない復帰要因の場合、実際に電力供給を行う必要のない部分にまで電力供給を行ってしまっている。
【０００４】
本発明は、使用者が画像に対する実行処理を伴わない操作を意図している場合や、使用者の操作によって実行処理の種類が不明の間は、装置本体への操作指示及び装置本体の状態表示に必要な部分への電力供給にとどめ、画像データ処理部への電力供給を行わないことによって、無駄な電力消費を防止する画像処理装置及び画像形成装置を提案するものである。
【課題を解決するための手段】
【０００５】
第１の技術手段は、処理対象の画像データを取り扱う複数の画像データ処理部と、装置本体への操作指示及び前記装置本体の状態の出力を行う操作／表示部と、前記画像データ処理部及び操作／表示部に電力を供給する電源部と、前記画像データ処理部及び操作／表示部の制御を行う制御部と、前記電源部の制御を行う電源制御部とからなる省エネルギー機能を備えた画像処理装置において、前記処理部及び前記操作／表示部は、各々に対する電力供給を復帰させる復帰要因を検出しトリガ信号を出力する検出部を有し、前記電源制御部は、前記検出部から出力されるトリガ信号を検出し、検出されたトリガ信号が前記操作／表示部の検出部が出力する特定のトリガ信号のみの場合、前記操作／表示部及び前記制御部のみに電力供給を行うように前記電源部を制御することを特徴とする。
【０００６】
第２の技術手段は、第１の技術手段の省エネルギー機能を備えた画像処理装置において、前記操作／表示部の検出部は操作に応じた複数のトリガ信号を出力し、前記電源制御部は検出されたトリガ信号が前記操作／表示部の検出部が出力した複数のトリガ信号のいずれであるかに応じて前記電源部の電力供給を制御することを特徴とする。
【０００７】
第３の技術手段は、第２の技術手段の省エネルギー機能を備えた画像処理装置において、前記操作／表示部の検出部から出力されるトリガ信号は、前記操作／表示部に設置されたモード選択キーの押下に応じて切り替えられることを特徴とする。
【０００８】
第４の技術手段は、第１の技術手段の省エネルギー機能を備えた画像処理装置において、前記操作／表示部及び前記制御部のみに電力供給が行われている状態においては、前記操作／表示部によって選択されたモードに依存する表示及びランプ点灯をさせないことを特徴とする。
【０００９】
第５の技術手段は、第２の技術手段の省エネルギー機能を備えた画像処理装置において、少なくとも前記操作／表示部及び前記制御部に電力供給が行われている状態においては、前記操作／表示部の検出部から出力されるトリガ信号に応じて、前記電源制御部が前記電源部の電源供給を制御することを特徴とする。
【００１０】
第６の技術手段は、第１乃至５いずれかの技術手段の省エネルギー機能を備えた画像処理装置の前記画像データ処理部が、画像形成部を備えている画像形成装置であることを特徴とする。
【発明の効果】
【００１１】
請求項１の発明によれば、操作／表示部からのトリガ信号が例えば機能選択を伴うような特定のトリガ信号のみの場合、操作／表示部及び制御部のみに電力供給を行うことにより、操作／表示部及び制御部のみで対処可能な操作に対して、電力消費を軽減することが可能となる。
【００１２】
請求項２の発明によれば、操作／表示部からのトリガ信号を選択機能毎に出力することにより、使用が予見される機能に対して予め電力を供給することが可能となり、機能を使用した際の復帰時間を短縮することが可能となる。
【００１３】
請求項３の発明によれば、操作／表示部から出力されるトリガ信号をモード選択キーの押下と連動させることにより、必要とされている機能が明確となり、電力供給が必要な部分が容易に判断可能となる。
【００１４】
請求項４の発明によれば、操作／表示部でモードに依存する画面及びモードランプの点灯を行わないことにより、使用者に現在「どのモードでもない」という状態を認識させることが可能となる。
【００１５】
請求項５の発明によれば、電力が供給されている状態でも、操作／表示部からの新たなトリガ信号入力により、他の必要な部分への電力供給指示が可能となる。
【００１６】
請求項６の発明によれば、特に電力消費が多い画像形成部を含む場合、操作部の操作で無条件に電源供給を行わないようにすることで、省エネ効果が大きい画像形成装置が可能となる。
【発明を実施するための最良の形態】
【００１７】
省エネルギー機能を備えた画像処理装置及び画像形成装置において、使用者が画像に対する実行処理を伴わない操作を意図している場合や、使用者の操作によって実行処理の種類が不明の間は、装置本体への操作指示及び装置本体の状態表示に必要な部分への電力供給にとどめ、画像データ処理部への電力供給を行わないことによって、無駄な電力消費を防止することを課題とし、そのための画像処理装置は、処理対象の画像データを取り扱う複数の画像データ処理部と、装置本体への操作指示及び前記装置本体の状態の出力を行う操作／表示部と、前記画像データ処理部及び操作／表示部に電力を供給する電源部と、前記画像データ処理部及び操作／表示部の制御を行う制御部と、前記電源部の制御を行う電源制御部とからなる省エネルギー機能を備えた画像処理装置において、前記処理部及び前記操作／表示部は、各々に対する電力供給を復帰させる復帰要因を検出しトリガ信号を出力する検出部を有し、前記電源制御部は、前記検出部から出力されるトリガ信号を検出し、検出されたトリガ信号が前記操作／表示部の検出部が出力する特定のトリガ信号のみの場合、前記操作／表示部及び前記制御部のみに電力供給を行うように前記電源部を制御するように構成されている。
以下、図面を参照して本発明の実施例について詳細に説明する。
【実施例１】
【００１８】
図１は、本発明の実施例１における省エネルギー機能を備えた画像形成装置の概略構成を示すブロック図である。
図１に示すように、プリンタ機能、ファクシミリ機能、コピー機能等を備え、省エネルギー機能を備えた画像形成装置である複合機において、プリンタ機能の一部として使用し、外部機器と接続を行う外部Ｉ／Ｆ部１は、外部機器からの出力データ、データ出力要求信号等を検出してトリガ信号を出力する信号検出部１ａを内部に有している。
【００１９】
また、ファクシミリ機能の一部として使用し、外部機器と通信を行う通信制御部２は、外部機器であるファクシミリからのアナログ電話回線を用いた呼出信号等を検出してトリガ信号を出力する信号検出部２ａを内部に有している。
【００２０】
また、画像形成装置に対する使用者からの操作指示情報の入力、及び使用者に対して前記装置の状態情報の出力を行う操作／表示部３は、省エネルギーモードにおいて使用者の操作指示情報の入力におけるボタン押下や表示部への接触等を検出してトリガ信号を出力する信号検出部３ａ、及び操作／表示部３に電力が供給されている状態において使用者の操作指示情報の入力におけるボタン押下を検出してトリガ信号を出力する操作信号検出部３ｂを内部に有している。
【００２１】
また、コピー機能の一部として使用し、原稿の画像データを読み取るスキャナ部４は、使用者によるスキャナ部４への原稿セット、スキャナ部４のスキャナカバーの開閉等を検出してトリガ信号を出力する信号検出部４ａを内部に有している。
【００２２】
前記外部Ｉ／Ｆ部１、通信制御部２、スキャナ部４より得られた画像データを指定用紙上に画像形成するエンジン部５、またメインＣＰＵ６ａを有し装置全体の制御を行うメイン制御部６、サブＣＰＵ７ａを有し通常稼動時や省エネルギーモード時において、各々の信号検出部１ａ、２ａ、３ａ、４ａ、及び操作信号検出部３ｂからのトリガ信号に基づき解除因子信号（電源復帰信号）をメイン制御部６へ出力し、またメイン制御部６からの駆動制御信号を受け、メイン電源８に外部Ｉ／Ｆ部１、通信制御部２、操作／表示部３、スキャナ部４各部への電力供給を指示する電源制御信号を出力し、前記各部への電力供給を制御する電源制御部７、電源制御部７からの電源制御信号に基づきメイン制御部６、外部Ｉ／Ｆ部１、通信制御部２、操作／表示部３、スキャナ部４、エンジン部５の各部へ電力を供給するメイン電源８、電源制御部７、及び外部Ｉ／Ｆ部１、通信制御部２、操作／表示部３、スキャナ部４の各部に設けられた信号検出部１ａ、２ａ、３ａ、４ａ等に電力を供給する待機用サブ電源９から構成される。
【００２３】
以上のように構成される画像形成装置において、各部の信号検出部１ａ、２ａ、３ａ、４ａ、及び操作信号検出部３ｂによりトリガ信号を検出する要因としては、外部Ｉ／Ｆ部１における外部機器であるパーソナルコンピュータ等からのプリント要求信号、通信制御部２におけるファクシミリ網等からの信号、操作／表示部３における使用者により入力押下されたスタートキー、モードキー、テンキー等の信号、スキャナ部４における原稿セットの検出等の信号がある。
【００２４】
これらのトリガ信号を各部の信号検出部１ａ、２ａ、３ａ、４ａ、及び、操作信号検出部３ｂから電源制御部７に出力することにより、電源制御部７からメイン電源８に対してトリガ信号に基づいた解除因子信号が出力される。これにより、メイン電源８からトリガ信号を出力した各部毎に省エネルギーモードから通常の稼動を行うための電力供給が行われる。また、各部の信号検出部１ａ、２ａ、３ａ、４ａ、及び電源制御部７は、待機用サブ電源９から電力を供給され動作する。
【実施例２】
【００２５】
図２は、本発明の実施例２における省エネルギー機能を備えた画像形成装置の概略構成を示すブロック図である。
図２に示すように、省エネルギー機能を備えた画像形成装置である実施例２の複合機において、プリンタ機能の一部として使用し、外部機器と接続を行う外部Ｉ／Ｆ部１は、外部機器からの出力データ、データ出力要求信号等を検出してトリガ信号を出力する信号検出部１ａを内部に有している。
【００２６】
また、ファクシミリ機能の一部として使用し、外部機器と通信を行う通信制御部２は、外部機器であるファクシミリからのアナログ電話回線を用いた呼出信号等を検出してトリガ信号を出力する信号検出部２ａを内部に有している。
【００２７】
また、画像形成装置に対する使用者からの操作指示情報の入力、及び使用者に対して画像形成装置の状態情報の出力を行う操作／表示部３は、使用者の操作指示情報の入力におけるボタン押下や表示部への接触等を検出して選択された機能毎にトリガ信号を出力する操作信号検出部３ｃを内部に有している。
【００２８】
また、コピー機能の一部として使用し、原稿の画像データを読み取るスキャナ部４は、使用者によるスキャナ部４への原稿セット、スキャナ部４のスキャナカバーの開閉等を検出してトリガ信号を出力する信号検出部４ａを内部に設けている。
【００２９】
また、外部Ｉ／Ｆ部１、通信制御部２、スキャナ部４の各部より得られた画像データを指定用紙上に画像形成するエンジン部５、メインＣＰＵ６ａを有し画像形成装置全体の制御を行うメイン制御部６、サブＣＰＵ７ａを有し通常稼動時や省エネルギーモード時において、信号検出部１ａ、２ａ、４ａ及び操作信号検出部３ｃからのトリガ信号に基づきメイン電源８に各部への電力供給を指示する電源制御信号を出力し、各部への電力供給を制御する電源制御部７、電源制御部７からの電源制御信号に基づき各部へ電力を供給するメイン電源８、電源制御部７及び各部に設けられた信号検出部１ａ、２ａ、４ａ、及び操作信号検出部３ｃ等に電力を供給する待機用サブ電源９から構成される。
【００３０】
以上のように構成される実施例２の画像形成装置における、各部の信号検出部１ａ、２ａ、４ａによりトリガ信号を検出する要因としては、外部Ｉ／Ｆ部１における外部機器であるパーソナルコンピュータ等からのプリント要求信号、通信制御部２におけるファクシミリ網等からの信号、スキャナ部４における原稿セットの検出等の信号がある。
また、操作信号検出部３ｃにより選択された機能毎にトリガ信号を検出する要因としては、操作／表示部３における使用者により入力押下されたコピーキー（コピー機能）、ファクシミリキー（ファクシミリ機能）、スキャナキー（スキャナ機能）、プリンタキー（プリンタ機能）、その他のキー（機能未選択）等の信号がある。
【００３１】
これらのトリガ信号を各部の信号検出部１ａ、２ａ、４ａから電源制御部７に出力することにより、電源制御部７からメイン電源８に対してトリガ信号に基づいた電源制御信号が出力される。これにより、メイン電源８からトリガ信号を出力した各部毎に省エネルギーモードから通常の稼動を行うための電力供給が行われる。
【００３２】
また、選択された機能毎のトリガ信号を操作／表示部３の操作信号検出部３ｃから電源制御部７に出力することにより、電源制御部７からメイン電源８に対して選択された機能毎のトリガ信号に基づいた電源制御信号が出力される。これにより、メイン電源８から選択された機能が使用する各部に省エネルギーモードから通常の稼動を行うための電力供給が行われる。
また、各部の信号検出部１ａ、２ａ、４ａ、操作信号検出部３ｃ及び電源制御部７は、待機用サブ電源９から電力を供給され動作する。
【００３３】
図３は、実施例１、２の画像形成装置に設けられる操作パネルの例を示す図である。
図３に示すように、画像形成装置である実施例１、２の複合機における操作パネルは、メッセージやキーの表示を行うタッチパネル１１、機能の選択及び選択中の機能を表示するためのモード選択キー／表示ランプ１２、現在のジョブ状況を表示させる［ジョブ状況］キー１３、タッチパネルの画面コントラスト調整等の使用者の条件に応じた設定を行う［ユーザー設定］キー１４、各設定の数値入力に使用する数字キー１５、部門カウンター設定時に部門番号入力待ち状態に戻す［部門カウント終了／トーン］キー１６、ジョブプログラムの登録・呼出・消去を行う［プログラム］キー１７、ジョブキャンセル等を行う［クリア］キー１８、コピー開始・スキャン読み込み開始・ファクス読み込み開始等を行う［スタート］キー１９、割り込みコピーを行う［割り込み］キー２０、標準状態に戻す［リセット］キー２１から構成される。
【００３４】
図４は、実施例１の画像形成装置において、省エネルギーモードから通常稼動状態に移行する動作を示すフローチャートである。
実施例１の画像形成装置において、省エネルギーモードから通常稼動状態に移行する動作について、図４のフローチャートに基づき図１、３を参照しながら説明する。
・メイン制御部６から電源制御部７に入力される駆動制御信号により、通常稼動状態で省エネルギーモードへの移行条件が満たされたか否かを確認する（Ｓ１）。
・駆動制御信号が省エネルギーモードへの移行の場合、操作／表示部３のタッチパネル１１、モード選択キー／表示ランプ１２がＯＦＦされる（Ｓ２）。
【００３５】
・また、電源制御部７からメイン電源８に入力される電源制御信号により、メイン電源８から各部に出力される全ての電力供給が遮断される（Ｓ３）。これにより、省エネルギーモードとなり各部は、待機用サブ電源９からの電力供給により信号検出部等の最小限の稼動状態となる。
・各部の信号検出部１ａ、２ａ、３ａ、４ａから電源制御部７に入力されるトリガ信号の有無により、トリガ信号が検出されたか否かを確認する（Ｓ４）。
【００３６】
・トリガ信号を検出した場合、電源制御部７からメイン電源８に入力される電源制御信号により、メイン制御部６へ電力供給が行われる（Ｓ５）。
・電源制御部７に入力されたトリガ信号が操作／表示部３の信号検出部３ａからのトリガ信号の場合（Ｓ６−Ｙｅｓ）、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、操作／表示部３へ電力供給が行われる（Ｓ７）。このとき、操作／表示部３は機能未選択の状態とし、タッチパネル１１には機能に依存しない画面を表示し、モード選択キー／表示ランプ１２は選択機能を表示するランプを点灯させない。
【００３７】
・メイン制御部６から電源制御部７に入力される駆動制御信号により、通常稼動状態で省エネルギーモードへの移行条件が満たされたか否かを確認する（Ｓ８）。
・各部の信号検出部１ａ、２ａ、４ａ及び、操作／表示部３の操作信号検出部３ｂから電源制御部７に入力されるトリガ信号の有無により、トリガ信号が検出されたか否かを確認する（Ｓ９）。操作／表示部３の操作信号検出部３ｂは、モード選択キー／表示ランプ１２等の機能選択を伴うキーの押下をトリガ信号として検出する。
・トリガ信号を検出した場合、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、トリガ信号に基づく必要部分への電力供給が行われる（Ｓ１０）。
【００３８】
・電源制御部７に入力されたトリガ信号が操作／表示部３の信号検出部３ａからのトリガ信号でない場合（Ｓ６−Ｎｏ）、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、トリガ信号に基づく必要部分への電力供給が行われる（Ｓ１０）。
【００３９】
操作／表示部３の操作信号検出部３ｂにおいて、モード選択キー／表示ランプ１２等の機能選択を伴うキーの押下がトリガ信号として検出された場合、トリガ信号に基づく電力供給は、（イ）コピーモードキー等のコピー機能選択時はエンジン部５、スキャナ部４、（ロ）プリンタモードキー等のプリンタ機能選択時はエンジン部５、外部Ｉ／Ｆ部１、（ハ）スキャナモードキー等のスキャナ機能選択時はスキャナ部４、（ニ）ファクスモードキー等のファクス機能選択時は通信制御部２、エンジン部５、に対して行われる。
【００４０】
図５は、実施例２の画像形成装置において、省エネルギーモードから通常稼動状態に移行する動作を示すフローチャートである。
実施例２の画像形成装置において、省エネルギーモードから通常稼動状態に移行する動作について、図５のフローチャートに基づき図２、３を参照しながら説明する。
・メイン制御部６から電源制御部７に入力される駆動制御信号により、通常稼動状態で省エネルギーモードへの移行条件が満たされたか否かを確認する（Ｓ１１）。
・駆動制御信号が省エネルギーモードへの移行の場合、操作／表示部３のタッチパネル１１、モード選択キー／表示ランプ１２がＯＦＦされる（Ｓ１２）。
【００４１】
・また、電源制御部７からメイン電源８に入力される電源制御信号により、メイン電源８から各部に出力される全ての電力供給が遮断される（Ｓ１３）。これにより、省エネルギーモードとなり信号検出部１ａ、２ａ、４ａ及び操作信号検出部３ｃ等の各部は、待機用サブ電源９からの電力供給により最小限の稼動状態となる。
・各部の信号検出部１ａ、２ａ、４ａ及び操作信号検出部３ｃから電源制御部７に入力されるトリガ信号の有無により、トリガ信号が検出されたか否かを確認する（Ｓ１４）。
【００４２】
・トリガ信号を検出した場合、電源制御部７からメイン電源８に入力される電源制御信号により、メイン制御部６へ電力供給が行われる。（Ｓ１５）
・電源制御部７に入力されたトリガ信号が操作／表示部３の操作信号検出部３ｃからのトリガ信号でない場合（Ｓ１６−Ｎｏ）、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、トリガ信号に基づく必要部分への電力供給が行われる（Ｓ２１）。
【００４３】
・電源制御部７に入力されたトリガ信号が操作／表示部３の操作信号検出部３ｃからの機能選択を伴うトリガ信号の場合（Ｓ１７−Ｙｅｓ）、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、操作／表示部３へ電力供給が行われる（Ｓ２１）。
【００４４】
操作／表示部３の操作信号検出部３ｃにおいて、モード選択キー／表示ランプ１２等の機能選択を伴うキーの押下がトリガ信号として検出された場合、トリガ信号に基づく電力供給は、（イ）コピーモードキー等のコピー機能選択時は操作／表示部３、エンジン部５、スキャナ部４、（ロ）プリンタモードキー等のプリンタ機能選択時は操作／表示部３、エンジン部５、外部Ｉ／Ｆ部１、（ハ）スキャナモードキー等のスキャナ機能選択時は操作／表示部３、スキャナ部４、（ニ）ファクスモードキー等のファクス機能選択時は操作／表示部３・通信制御部２・エンジン部５、に対して行われる。
【００４５】
・電源制御部に入力されたトリガ信号が操作／表示部３の操作信号検出部３ｃからの機能選択を伴わないトリガ信号の場合（Ｓ１７−Ｎｏ）、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、操作／表示部３へ電力供給が行われる（Ｓ１８）。このとき、操作／表示部３は機能未選択の状態とし、（１）タッチパネルには機能に依存しない画面を表示し、（２）モード選択キー／表示ランプ１２は選択機能を表示するランプを点灯させない。
【００４６】
・メイン制御部６から電源制御部７に入力される駆動制御信号により、通常稼動状態で省エネルギーモードへの移行条件が満たされたか否かを確認する（Ｓ１９）。
・各部の信号検出部１ａ、２ａ、４ａ、及び操作／表示部３の操作信号検出部３ｃから電源制御部７に入力されるトリガ信号の有無により、トリガ信号が検出されたか否かを確認する（Ｓ２０）。操作／表示部３の操作信号検出部３ｃは、モード選択キー／表示ランプ１２等の機能選択を伴うキーの押下をトリガ信号として検出する。
【００４７】
・トリガ信号を検出した場合、電源制御部７からメイン制御部６に入力される解除因子信号に対して、メイン制御部６から電源制御部７に解除因子信号に基づく駆動制御信号が入力される。これに基づき電源制御部７からメイン電源８に入力される電源制御信号により、トリガ信号に基づく必要部分への電力供給が行われる（Ｓ２１）。
【００４８】
操作／表示部３の操作信号検出部３ｂにおいて、モード選択キー／表示ランプ１２等の機能選択を伴うキーの押下がトリガ信号として検出された場合、トリガ信号に基づく電力供給は、（イ）コピーモードキー等のコピー機能選択時はエンジン部５、スキャナ部４、（ロ）プリンタモードキー等のプリンタ機能選択時はエンジン部５、外部Ｉ／Ｆ部１、（ハ）スキャナモードキー等のスキャナ機能選択時はスキャナ部４、（ニ）ファクスモードキー等のファクス機能選択時は通信制御部２、エンジン部５、に対して行われる。
【図面の簡単な説明】
【００４９】
【図１】本発明の実施例１における省エネルギー機能を備えた画像形成装置の概略構成を示すブロック図である。
【図２】本発明の実施例２における省エネルギー機能を備えた画像形成装置の概略構成を示すブロック図である。
【図３】実施例１、２の画像形成装置に設けられる操作パネルの例を示す図である。
【図４】実施例１の画像形成装置において、省エネルギーモードから通常稼動状態に移行する動作を示すフローチャートである。
【図５】実施例２の画像形成装置において、省エネルギーモードから通常稼動状態に移行する動作を示すフローチャートである。
【符号の説明】
【００５０】
１…外部Ｉ／Ｆ部、１ａ…信号検出部、２…通信制御部、２ａ…信号検出部、３…操作／表示部、３ａ…信号検出部、３ｂ，３ｃ…操作信号検出部、４…スキャナ部、４ａ…信号検出部、５…エンジン部、６…メイン制御部、６ａ…メインＣＰＵ、７…電源制御部、７ａ…サブＣＰＵ、８…メイン電源、９…待機用サブ電源、１１…タッチパネル、１２…モード選択キー／表示ランプ、１３…［ジョブ状況］キー、１４…［ユーザー設定］キー、１５…数字キー、１６…［部門カウント終了／トーン］キー、１７…［プログラム］キー、１８…［クリア］キー、１９…［スタート］キー、２０…［割り込み］キー、２１…［リセット］キー。
【図１】
2006135878.tif 000003
【図２】
2006135878.tif 000004
【図３】
2006135878.tif 000005
【図４】
2006135878.tif 000006
【図５】
2006135878.tif 000007